(57)【要約】【課題】一時的に集合したユーザに対して、コミュニティに参加するアカウントを適切にかつ容易に設定することが可能な付属装置を提供することである。【解決手段】受信部６１は、装着された情報処理装置である装着装置から本体情報を受信する。通信部６２は、装着装置とは別の情報処理装置である他装置と装着された他付属装置から、他装置を特定する他アカウント情報と、その他装置の位置に応じた他情報を取得する。認証部６３は、受信部６１が受信した本体情報と、通信部６２が受信した他情報とに基づいて、他装置の認証を行う。設定部６４は、認証部６３にて他装置の認証が成功した場合、コミュニティを管理するサーバに他アカウント情報を送信することによって、他装置に対してコミュニティに参加するアカウントを設定する【選択図】図９
2014026377.tif 000002
【特許請求の範囲】
【請求項１】
装着された情報処理装置である装着装置から、当該装着装置の位置に応じた本体情報を受信する受信部と、
前記装着装置とは別の情報処理装置である他装置と装着された他付属装置から、前記他装置を特定する他アカウント情報と、前記他装置の位置に応じた他情報とを取得する通信部と、
前記本体情報および前記他情報に基づいて、前記他装置の認証を行う認証部と、
前記他装置の認証が成功した場合、コミュニティを管理するサーバに前記他アカウント情報を送信することによって、前記他装置に対して前記コミュニティに参加するアカウントを設定する設定部と、を有する付属装置。
【請求項２】
前記認証部は、前記本体情報および前記他情報に基づいて、前記装着装置と前記他装置との位置関係を評価し、当該評価結果に基づいて、前記他装置の認証を行う、請求項１に記載の付属装置。
【請求項３】
前記認証部は、前記本体情報および前記他情報に基づいて、前記位置関係として、前記装着装置および前記他装置が互いに近接しているか否かを評価する、請求項２に記載の付属装置。
【請求項４】
前記受信部は、前記本体情報を定期的に受信し、
前記通信部は、前記他情報を定期的に取得し、
前記認証部は、各本体情報および各他情報に基づいて、前記装着装置と前記他装置とが所定時間以上近接しているか否かを評価する、請求項２に記載の付属装置。
【請求項５】
前記付属装置を特定する仮アカウント情報を保存するアカウント保存部をさらに有し、
前記通信部は、前記仮アカウント情報を、装着装置を特定するアカウント情報として、前記他付属装置に送信する、請求項１ないし４のいずれか１項に記載の付属装置。
【請求項６】
前記受信部は、前記本体情報を定期的に受信し、
前記通信部は、前記他情報を定期的に取得し、
前記認証部は、各本体情報および各他情報に基づいて、前記他装置の認証を定期的に行い、
前記設定部は、前記アカウントを設定した後で、前記他装置の認証に失敗した場合、前記アカウントを削除する、請求項１ないし５のいずれか１項に記載の付属装置。
【請求項７】
請求項１ないし６のいずれか１項に記載の付属装置と着脱可能な情報処理装置であって、
当該情報処理装置の位置に応じた本体情報を生成する生成部と、
前記生成部にて生成した本体情報を、装着された付属装置に送信する本体情報送信部と、を有する情報処理装置。
【請求項８】
請求項１ないし５のいずれか１項に記載の付属装置と、請求項７に記載の情報処理装置とを有する情報処理システム。
【請求項９】
情報処理装置と着脱可能な付属装置によるアカウント設定方法であって、
前記付属装置と装着された情報処理装置である装着装置から、当該装着装置の位置に応じた本体情報を受信し、
前記装着装置とは別の情報処理装置である他装置と装着された他付属装置から、前記他装置を特定する他アカウント情報と、前記他装置の位置に応じた他情報とを取得し、
前記本体情報および前記他情報に基づいて、前記他装置の認証を行い、
前記他装置の認証が成功した場合、コミュニティを管理するサーバに前記他アカウント情報を送信することによって、前記他装置に対して前記コミュニティに参加するアカウントを設定する、アカウント設定方法。
【請求項１０】
情報処理装置と着脱可能な付属装置に備わったコンピュータに、
前記付属装置と装着された情報処理装置である装着装置から、当該装着装置の位置に応じた本体情報を受信する手順と、
前記装着装置とは別の情報処理装置である他装置と装着された他付属装置から、前記他装置を特定する他アカウント情報と、前記他装置の位置に応じた他情報とを取得する手順と、
前記本体情報および前記他情報に基づいて、前記他装置の認証を行う手順と、
前記他装置の認証が成功した場合、コミュニティを管理するサーバに前記他アカウント情報を送信することによって、前記他装置に対して前記コミュニティに参加するアカウントを設定する手順と、を実行させるプログラム。
【発明の詳細な説明】
【技術分野】
【０００１】
本発明は、コミュニティに参加するアカウントを設定することが可能な技術に関する。
【背景技術】
【０００２】
近年、移動体通信にて通信可能なエリアの拡大とその通信速度の向上などに伴い、スマートフォンを代表とする移動体通信端末を用いて、ＳＮＳ（Social Networking Service：ソーシャル・ネットワーキング・サービス）などのコミュニティサービスを利用する人が増えている。
【０００３】
コミュニティサービスは、コミュニティと呼ばれるグループに参加している参加者を対象としたサービスであり、参加者の間で情報を共有する情報共有サービスなどを有している。
【０００４】
コミュニティサービスを実現する方法としては、例えば、登録されている複数の電子メールアドレス宛に同じ情報を送信するメーリングリスト機能を利用した方法や、コミュニティに参加するアカウントを有する端末からアクセスされたときだけ、そのコミュニティに係るホームページやブログなどの閲覧や更新を許可するアカウント機能を利用したものなどが挙げられる。
【０００５】
また、局外者であるユーザがコミュニティに参加するためには、通常、ユーザの移動体通信端末を特定するアカウント情報を、コミュニティを管理する管理サーバに登録する必要がある。このとき、ユーザがアカウント情報を管理サーバに直接登録できてしまうと、コミュニティへの参加が望まれていないユーザまでコミュニティに参加されてしまう可能性がある。このため、通常、コミュニティサービスでは、ユーザは参加者に対してアカウント情報を通知し、その通知を受けた参加者がアカウント情報を管理サーバに登録する方法が採用されている。
【０００６】
しかしながら、上記の方法では、ユーザによる参加者へのアカウント情報の通知や、参加者によるアカウント情報の登録などを手動で行わなければならず、手間がかかるという問題がある。
【０００７】
これに対して特許文献１には、アカウントを有する携帯端末が、他の携帯端末に対してアカウントを設定することが可能なコミュニティサービスシステムが記載されている。
【０００８】
特許文献１に記載されたコミュニティサービスシステムは、それぞれが直接通信できる複数の携帯端末を有する。そして、複数の携帯端末のうちのアカウントを有する携帯端末に対して、別の携帯端末にアカウントを設定するための設定操作が行われると、アカウントを有する携帯端末は、別の携帯端末から、その別の携帯端末を特定する端末識別子を取得し、取得した端末識別子をサーバに登録することで、別の携帯端末にアカウントを設定する。これにより、携帯端末に対して設定操作を行うだけで、別の携帯端末にもアカウントを設定することが可能になる。
【先行技術文献】
【特許文献】
【０００９】
【特許文献１】特開２０１０−１４６４５２号公報
【発明の概要】
【発明が解決しようとする課題】
【００１０】
ユーザはコミュニティに対して一時的に参加を希望することがある。例えば、即席的な募集によって集合したユーザやスポーツ観戦のために競技場に集合したユーザは、その場の気分を盛り上げるために、集合している間だけコミュニティへの参加を希望することがある。
【００１１】
この場合、特許文献１に記載の技術を用いれば、アカウントを有する携帯端末に対して設定操作を行うことで、コミュニティに対して一時的に参加を希望するユーザの携帯端末にもアカウントを設定することができる。
【００１２】
しかしながら、コミュニティへの参加を希望するユーザが多いと、ユーザごとに設定操作を行う必要があり、手間がかかるという問題がある。また、一回の設定操作で不特定多数の携帯端末から端末識別情報を取得して各携帯端末にアカウントを設定することも考えられるが、この場合には、参加を希望しないユーザの携帯端末にもアカウントが設定される可能性がある。
【００１３】
本発明の目的は、一時的に集合したユーザに対して、コミュニティに参加するアカウントを適切にかつ容易に設定することが可能な付属装置、情報処理装置、情報処理システム、アカウント設定方法およびプログラムを提供することである。
【課題を解決するための手段】
【００１４】
本発明による付属装置は、装着された情報処理装置である装着装置から、当該装着装置の位置に応じた本体情報を受信する受信部と、前記装着装置とは別の情報処理装置である他装置と装着された他付属装置から、前記他装置を特定する他アカウント情報と、前記他装置の位置に応じた他情報とを取得する通信部と、前記本体情報および前記他情報に基づいて、前記他装置の認証を行う認証部と、前記他装置の認証が成功した場合、コミュニティを管理するサーバに前記他アカウント情報を送信することによって、前記他装置に対して前記コミュニティに参加するアカウントを設定する設定部と、を有する。
【００１５】
また、本発明による情報処理装置は、前記付属装置と着脱可能な情報処理装置であって、当該情報処理装置の位置に応じた本体情報を生成する生成部と、前記生成部にて生成した本体情報を、装着された付属装置に送信する本体情報送信部と、を有する。
【００１６】
また、本発明による情報処理システムは、前記付属装置と、前記情報処理装置とを有する
また、本発明によるアカウント設定方法は、情報処理装置と着脱可能な付属装置によるアカウント設定方法であって、前記付属装置に装着された情報処理装置である装着装置から、当該装着装置の位置に応じた本体情報を受信し、前記装着装置とは別の情報処理装置である他装置と装着された他付属装置から、前記他装置を特定する他アカウント情報と、前記他装置の位置に応じた他情報とを取得し、前記本体情報および前記他情報に基づいて、前記他装置の認証を行い、前記他装置の認証が成功した場合、コミュニティを管理するサーバに前記他アカウント情報を送信することによって、前記他装置に対して前記コミュニティに参加するアカウントを設定する。
【００１７】
また、本発明によるプログラムは、情報処理装置と着脱可能な付属装置に備わったコンピュータに、前記付属装置と装着された情報処理装置である装着装置から、当該装着装置の位置に応じた本体情報を受信する手順と、前記装着装置とは別の情報処理装置である他装置と装着された他付属装置から、前記他装置を特定する他アカウント情報と、前記他装置の位置に応じた他情報とを取得する手順と、前記本体情報および前記他情報に基づいて、前記他装置の認証を行う手順と、前記他装置の認証が成功した場合、コミュニティを管理するサーバに前記他アカウント情報を送信することによって、前記他装置に対して前記コミュニティに参加するアカウントを設定する手順と、を実行させる。
【発明の効果】
【００１８】
本発明によれば、一時的に集合したユーザに対して、コミュニティに参加するアカウントを適切にかつ容易に設定することが可能になる。
【図面の簡単な説明】
【００１９】
【図１】本発明の一実施形態の移動体通信システムを示す図である。
【図２】本発明の一実施形態における移動体通信端末およびジャケットの構成の一例を示すブロック図である。
【図３】保存部に保存された情報の一例を説明するための図である。
【図４】本発明の第１の実施形態の移動体通信システムの動作を説明するためのシーケンス図である。
【図５】図４におけるステップＳ２の処理をより詳細に説明するためのフローチャートである。
【図６】図４におけるステップＳ３の処理をより詳細に説明するためのフローチャートである。
【図７】本発明の他の実施形態の移動体通信システムを示す図である。
【図８】本発明の他の実施形態における移動体通信端末の構成の一例を示すブロック図である。
【図９】本発明の他の実施形態における付属装置の構成の一例を示すブロック図である。
【発明を実施するための形態】
【００２０】
以下、本発明の実施形態について図面を参照して説明する。なお、以下の説明では、同じ機能を有するものには同じ符号を付け、その説明を省略する場合がある。
【００２１】
図１は、本発明の一実施形態の移動体通信システムを示す図である。図１において、移動体通信システムは、移動体通信端末１１〜１３と、ジャケット２１〜２３と、サーバ３１とを有する。
【００２２】
移動体通信端末１１〜１３は、ジャケット２１〜２３と着脱可能な情報処理装置であり、例えば、携帯電話機、スマートフォン、ゲーム機、タブレットＰＣ（Personal Computer）、ノートＰＣまたはＰＤＡ（Personal Digital Assistant：携帯情報端末）などである。
【００２３】
ジャケット２１〜２３は、移動体通信端末１１〜１３のそれぞれと着脱可能な付属装置である。なお、移動体通信端末１１〜１３およびジャケット２１〜２３は、互いに着脱可能であれば、移動体通信端末１１〜１３をジャケット２１〜２３に取り付ける構成でもよいし、ジャケット２１〜２３を移動体通信端末１１〜１３に取り付ける構成でもよい。
【００２４】
サーバ３１は、コミュニティを管理し、そのコミュニティに参加する参加者を対象としたコミュニティサービスを提供する。コミュニティサービスは、例えば、参加者の間で情報を共有する情報共有サービスなどを含む。
【００２５】
なお、本実施形態では、サーバ３１は、移動体通信網４１上に配置されており、移動体通信端末１１〜１３は、移動体通信を用いることで、移動体通信網４１および基地局４２経由でサーバ３１と接続できる構成となっている。また、図１では、移動体端末およびジャケットを３つ示しているが、移動体端末およびジャケットは複数あればよい。
【００２６】
図２は、移動体通信端末１１およびジャケット２１を備えた情報処理システムの構成の一例を示すブロック図である。なお、移動体通信端末１２および１３は移動体通信端末１１と同じ構成を有し、ジャケット２２および２３はジャケット２１と同じ構成を有するものとする。
【００２７】
図２において、移動体通信端末１１は、電源部１１１と、位置測定部１１２と、無線部１１３と、本体情報送信部１１４と、ジャケット情報受信部１１５と、アカウント設定部１１６と、サーバ通信部１１７とを有する。
【００２８】
電源部１１１は、移動体通信端末１１の各部に電力を供給する。なお、移動体通信端末１１の各部は、電源部１１１から供給された電力で動作する。
【００２９】
また、移動体通信端末１１がジャケット２１と装着された場合、電源部１１１は、その装着されたジャケット２１に電力を供給する。
【００３０】
位置測定部１１２は、移動体通信端末１１の位置を定期的に測定し、その位置を示す位置情報を生成して出力する。例えば、位置測定部１１２は、ＧＰＳ（Global Positioning System）機能や加速度センサなどを用いて、移動体通信端末１１の位置を測定する。また、位置測定部１１２は、３ＧＰＰ（Third Generation Partnership Project)にて規定されているＬＣＳ（location service）などを用いて、移動体通信端末１１の位置を測定してもよい。
【００３１】
無線部１１３は、移動体通信を用いて、基地局４２を介して移動体通信網４１上のサーバ３１と接続し、サーバ３１と情報の送受信を行う。例えば、無線部１１３は、サーバ３１から、移動体通信端末１１のコミュニティへの参加を許可する旨の許可通知と、移動体通信端末１１とは別の移動体通信端末を認証する旨の認証要求とを受信する。なお、認証要求は、認証を要求する移動体通信端末を特定する認証対象アカウント情報を含む。
【００３２】
また、無線部１１３は、定期的に、移動体通信の通信品質を測定し、その通信品質を示す無線情報を生成して出力する。
【００３３】
例えば、移動体通信がＷ−ＣＤＭＡ（(Wideband Code Division Multiple Access）の場合、無線部１１３は、受信信号の強度を示すＲＳＳＩ（Received Signal Strength Indication, Received Signal）、受信信号に含まれる希望信号の強度であるＲＳＣＰ（Received Signal Code Power）、および、受信信号の１チップあたりの受信エネルギーであるＥｃ／Ｎｏ（Received energy per chip divided by the power density in the band）などの少なくとも一つを通信品質として測定する。
【００３４】
通信品質は、移動体通信端末１１の位置に応じて変化するため、通信品質を示す無線情報は、移動体通信端末１１の位置に応じて変化する情報となる。また、位置測定部１１２が生成する位置情報は、位置を示すため、当然ながら位置に応じて変化することとなる。したがって、無線情報および位置情報は、移動体通信端末１１の位置に応じた情報である。以下、無線情報および位置情報を本体情報と総称することもある。なお、位置測定部１１２および無線部１１３は、本体情報を生成する生成部の一例である。
【００３５】
なお、無線情報は、通信品質だけでなく、他のものを示してもよい。例えば、無線情報は、移動体通信端末１１のＭＡＣアドレスをさらに示してもよい。また、無線部１１３が行う移動体通信の通信方式は特に限定されない。さらに、無線部１１３のハードウェア構成は、移動体通信の通信方式に応じて決定される。例えば、移動体通信の通信方式がＷ−ＣＤＭＡの場合、無線部１１３は、分離結合器、発信器、ＰＬＬ（Phase Locked Loop）回路、変復調部、ベースバンド信号処理を行う拡散・逆拡散器、および、直接波や反射波等の電波を受信し合成するレイク（Ｒａｋｅ）受信器などを含む。
【００３６】
本体情報送信部１１４は、移動体通信端末１１がジャケット２１と装着されると、ジャケット２１と通信し、位置測定部１１２および無線部１１３から出力された位置情報および無線情報からなる本体情報をジャケット２１に送信する。なお、本体情報は定期的に生成されて出力されるため、本体情報送信部１１４は、本体情報を定期的に送信することになる。
【００３７】
また、本体情報送信部１１４は、無線部１１３が受信した認証要求をジャケット２１に送信する。
【００３８】
ジャケット情報受信部１１５は、移動体通信端末１１がジャケット２１と装着されると、ジャケット２１から、移動体通信端末１１を装着した自ジャケット（ジャケット２１）に関する自ジャケット情報と、移動体通信端末１１とは別の移動体通信端末を装着したジャケットである近接ジャケットに関する近接ジャケット情報とを受信する。なお、近接ジャケットは、他付属装置の一例である。
【００３９】
自ジャケット情報は、自ジャケットを特定する仮アカウント情報と、通信先としてサーバ３１を示す通信先情報とを含む。
【００４０】
近接ジャケット情報は、近接ジャケットに装着されている移動体通信端末である他装置を特定する他アカウント情報と、他装置のコミュニティへの参加を許可する許可情報と、通信先情報とを含む。
【００４１】
ジャケット情報受信部１１５が自ジャケット情報を受信した場合、アカウント設定部１１６は、サーバ３１と接続し、サーバ３１にコミュニティが作成されているか否かを確認する。
【００４２】
コミュニティが作成されている場合、アカウント設定部１１６は、自ジャケット情報に含まれる通信先情報を用いて、自ジャケット情報に含まれる仮アカウント情報を、移動体通信端末１１を特定する自アカウント情報としてサーバ３１に登録し、さらに、自ジャケット情報をサーバ通信部１１７に設定する。
【００４３】
一方、コミュニティが作成されていない場合、アカウント設定部１１６は、自ジャケット情報に含まれる通信先情報を用いて、自ジャケット情報に含まれる仮アカウント情報と、コミュニティに参加する旨の参加要求をサーバ３１に送信する。このとき、アカウント設定部１１６は、仮アカウント情報を自アカウント情報としてサーバ３１に送信する。なお、サーバ３１は、自アカウント情報および参加要求を受信すると、自アカウント情報にて特定される移動体通信端末を認証する旨の認証要求を、コミュニティを作成した移動体通信端末に送信する。
【００４４】
その後、無線部１１３が許可通知を受信すると、アカウント設定部１１６は、自ジャケット情報をサーバ通信部１１７に設定する。
【００４５】
また、ジャケット情報受信部１１５が近接ジャケット情報を受信した場合、アカウント設定部１１６は、近接ジャケット情報に含まれる通信先情報を用いて、近接ジャケット情報に含まれる他アカウント情報および許可情報をサーバ３１に送信する。なお、サーバ３１は、他アカウント情報および許可情報を受信すると、他アカウント情報をサーバ自身に登録するとともに、他アカウント情報にて特定される移動体通信端末に許可通知を送信する。
【００４６】
サーバ通信部１１７は、アカウント設定部１１６から設定されたジャケット情報を用いて、サーバ３１と通信して、サーバ３１が提供するコミュニティサービスを受ける。なお、サーバ通信部１１７は、例えば、メーラやブラウザなどプログラムを用いて、サーバ３１との通信を行う。
【００４７】
また、図２において、ジャケット２１は、電源入力部１２１と、アカウント保存部１２２と、本体情報取得部１２３と、近接通信部１２４と、保存部１２５と、近接状態判定部１２６と、アカウント送出判定部１２７と、送信部１２８とを有する。
【００４８】
電源入力部１２１は、移動体通信端末１１がジャケット２１と装着されると、移動体通信端末１１の電源部１１１と電源線（図示せず）を介して接続され、電源部１１１から電力を受け付ける。そして、電源入力部１２１は、受け付けた電力をジャケット２１の各部に供給する。なお、ジャケット２１の各部は、電源入力部１２１から供給された電力で動作する。
【００４９】
なお、電源入力部１２１は、ジャケット２１の各部に電力を供給できるものであれば、上記の構成に限らない。しかしながら、電源入力部１２１は、省電力などを図るためには、上記の構成のように、移動体通信端末１１がジャケット２１と装着された場合に、ジャケット２１の各部に電力を供給することが望ましい。この場合の別の例としては、次の構成が挙げられる。つまり、電源入力部１２１は、電力源（図示せず）と、移動体通信端末１１がジャケット２１と装着されたことを検出するセンサ（図示せず）とを有し、そのセンサにて移動体通信端末１１がジャケット２１と装着されたことが検出された場合、電力源がジャケット２１の各部に電力を供給する構成でもよい。
【００５０】
アカウント保存部１２２は、ジャケット２１を特定する仮アカウント情報と、通信先情報とを保存する。
【００５１】
本体情報取得部１２３は、ジャケット２１と接続された移動体通信端末である装着装置（移動体通信端末１１）の本体情報送信部１１４と通信し、本体情報送信部１１４から本体情報および認証要求を受信する。なお、本体情報送信部１１４は本体情報を定期的に送信するため、本体情報取得部１２３は、本体情報を定期的に受信することになる。
【００５２】
近接通信部１２４は、装着装置とは別の移動体通信端末である他装置と装着されたジャケットである近接ジャケットと通信し、近接ジャケットから、他装置を特定する他アカウント情報と、他装置の位置に応じた他情報とを含む近接情報を取得する。
【００５３】
具体的には、近接通信部１２４は、定期的に、通信可能な他のジャケットを近接ジャケットとして検索し、その検索された近接ジャケットに対して、近接情報を取得する取得要求を送信し、その取得要求の応答として近接情報を取得する。これにより、近接通信部１２４は、近接情報を定期的に取得することになる。
【００５４】
また、近接通信部１２４は、近接ジャケットから取得要求を受信すると、その近接ジャケットに対して、アカウント保存部１２２に保存された仮アカウント情報と、本体情報取得部１２３が受信した本体情報とを送信する。このとき、近接通信部１２４は、仮アカウント情報を、移動体通信端末１１を特定するアカウント情報として送信する。また、近接通信部１２４は、本体情報取得部１２３が受信した本体情報のうち直近の本体情報を送信することが望ましい。
【００５５】
保存部１２５および近接状態判定部１２６は、本体情報取得部１２３が受信した本体情報と、近接通信部１２４が取得した近接情報内の他情報とに基づいて、他装置の認証を行う認証部を構成する。
【００５６】
保存部１２５は、種々の情報を保存する。
【００５７】
近接状態判定部１２６は、本体情報取得部１２３が受信した本体情報と、近接通信部１２４が取得した近接情報を保存部１２５に保存する。このとき、近接状態判定部１２６は、アカウント保存部１２２に保存された仮アカウント情報を本体情報に追加してもよい。また、近接状態判定部１２６は、本体情報取得部１２３が本体情報を受信するたびに、その本体情報が受信された受信時刻を本体情報に追加し、近接通信部１２４が近接情報を取得するたびに、その近接情報が取得された取得時刻を近接情報に追加することが望ましい。
【００５８】
図３は、保存部１２５に保存された本体情報および近接情報の一例を示す図である。
【００５９】
図３に示された本体情報３０１および近接情報３０２のそれぞれは、仮アカウント情報または他アカウント情報であるアカウント情報３１１と、ＭＡＣアドレス３１２と、受信時刻または取得時刻である保存時刻３１３と、位置情報３１４と、無線情報３１５とを含む。また、無線情報３１５は、ＲＳＳＩ、ＲＳＣＰおよびＥｃ／Ｎｏを含む。
【００６０】
図２の説明に戻る。本体情報取得部１２３が認証要求を受信した場合、近接状態判定部１２６は、保存部１２５に保存された近接情報のうち、認証要求内の認証対象アカウント情報と同じ他アカウント情報を含む近接情報である対象近接情報を特定する。そして、近接状態判定部１２６は、その対象近接情報内の他情報と、保存部１２５に保存された本体情報とに基づいて、対象近接情報に含まれる他アカウント情報にて特定される他装置と装着装置との位置関係を評価する。
【００６１】
例えば、近接状態判定部１２６は、直近の受信時刻を有する本体情報と、直近の取得時刻を有する対象近接情報内の他情報とを比較し、その比較結果に基づいて、装着装置および他装置の位置関係として、装着装置および他装置が互いに近接しているか否かを評価する。
【００６２】
より具体的にいえば、近接状態判定部１２６は、上記の本体情報および他情報のそれぞれに含まれる無線情報を互いに比較し、かつ、上記の本体情報および近接情報のそれぞれに含まれる位置情報を互いに比較し、それらの比較結果に基づいて、装着装置および他装置の位置関係として、装着装置および他装置が互いに近接しているか否かを評価する。
【００６３】
このとき、近接状態判定部１２６は、例えば、各無線情報が示す通信品質の差が所定の品質許容範囲内であり、かつ、各位置情報が示す位置の差が所定の位置許容範囲内の場合、装着装置および他装置が互いに近接していると評価し、各無線情報が示す通信品質の差が所定の品質許容範囲外、または、各位置情報が示す位置の差が所定の位置許容範囲外の場合、装着装置および他装置が互いに近接していないと評価する。
【００６４】
また、近接状態判定部１２６は、所定時間内の受信時刻を有する本体情報と、所定時間内の取得時刻を有する対象近接情報内の他情報とを比較し、その比較結果に基づいて、装着装置および他装置の位置関係として、装着装置および他装置が所定時間以上互いに近接しているか否かを評価してもよい。
【００６５】
例えば、近接状態判定部１２６は、所定時間内の受信時刻を有する本体情報ごとに、その本体情報と、その本体情報の受信時刻に最も近い取得時刻を有する対象近接情報内の他情報とを比較する。そして、近接状態判定部１２６は、全ての比較結果において、各無線情報が示す通信品質の差が所定の品質許容範囲内であり、かつ、各位置情報が示す位置の差が所定の位置許容範囲内の場合、装着装置および他装置が互いに所定時間以上近接していると評価する。また、近接状態判定部１２６は、比較結果のいずれかにおいて、各無線情報が示す通信品質の差が所定の品質許容範囲外、または、各位置情報が示す位置の差が所定の位置許容範囲外の場合、装着装置および他装置が互いに所定時間以上近接していないと評価する。
【００６６】
装着装置および他装置の位置関係を評価すると、近接状態判定部１２６は、その評価結果に基づいて、他装置の認証を行う。例えば、近接状態判定部１２６は、装着装置および他装置が近接している場合（または、装着装置および他装置が所定時間以上近接している場合）、認証を成功と判定し、装着装置および他装置が近接していない場合（または、装着装置および他装置が所定時間以上近接していない場合）、認証を失敗と判定する。
【００６７】
アカウント送出判定部１２７および送信部１２８は、近接状態判定部１２６にて他装置の認証が成功した場合、サーバ３１に他装置を特定する他アカウント情報を送信することによって、他装置に対してサーバ３１が管理するコミュニティに参加するアカウントを設定する設定部を構成する。
【００６８】
アカウント送出判定部１２７は、近接状態判定部１２６の認証結果に応じて、他装置にサーバ３１が管理するコミュニティに参加するアカウントを設定するか否かを判定する。
【００６９】
具体的には、他装置の認証が成功した場合、アカウント送出判定部１２７は、アカウントを設定すると判定する。そして、アカウント送出判定部１２７は、許可情報を生成し、その許可情報と、近接状態判定部１２６が認証に用いた対象近接情報に含まれる他アカウント情報と、アカウント保存部１２２に保存された通信先情報とを含む近接ジャケット情報を生成する。
【００７０】
送信部１２８は、装着装置のジャケット情報受信部１１５と通信する。送信部１２８は、アカウント送出判定部１２７が生成した近接ジャケット情報をジャケット情報受信部１１５に送信することで、近接ジャケット情報に含まれる他アカウント情報および許可情報を装着装置経由でサーバ３１に送信して、他装置に対してアカウントを設定する。
【００７１】
また、送信部１２８は、移動体通信端末１１がジャケット２１と装着されると、アカウント保存部１２２に保存された仮アカウント情報および通信先情報を自ジャケット情報としてジャケット情報受信部１１５に送信する。
【００７２】
以上説明した構成において、本体情報送信部１１４と本体情報取得部１２３が行う通信方式は、特に限定されない。例えば、本通信方式としては、有線シリアル通信のような汎用的な有線通信方式、ＷＬＡＮ（Wireless Local Area Network）のような遠距離の無線通信が可能な通常無線通信方式、ブルートゥース（登録商標）やフェリカ（登録商標）のような近距離のみ無線通信が可能な近距離無線方式などが挙げられる。しかしながら、本通信方式としては、通常無線通信方式や近距離無線方式などの無線通信方式が望ましい。この場合、本体情報送信部１１４と本体情報取得部１２３とを接続するためのコネクタなどをジャケットや移動体通信端末に設けなくてもよくなる。
【００７３】
同様に、ジャケット情報受信部１１５と送信部１２８が行う通信方式は、特に限定されないが、無線通信方式であることが望ましい。
【００７４】
また、近接通信部１２４が行う通信の通信方式は、特に限定されないが、近距離無線通信方式が望ましい。これは、他装置の認証が、装着装置および他装置が互いに近接しているか否かに応じて行われるからである。
【００７５】
また、本体情報送信部１１４とジャケット情報受信部１１５とは、別々の構成であったが、本体情報送信部１１４とジャケット情報受信部１１５は、情報の送受信が可能な同一の送受信回路にて実現されてもよい。同様に、本体情報取得部１２３と送信部１２８は、情報の送受信が可能な同一の送受信回路にて実現されてもよい。
【００７６】
また、保存部１２５およびアカウント保存部１２２は、種々の記録媒体で構成することができる。記録媒体としては、例えば、ＲＯＭ（Read Only Memory）、ＲＡＭ（Random Access Memory）、ＩＣ（Integrated Circuit）カード、メモリカード、および、ハードディスクのようなディスク装置などが挙げられる。
【００７７】
次に本実施形態の移動体通信システムの動作を説明する。
【００７８】
図４は、移動体通信システムの動作の一例を説明するためのシーケンス図である。なお、図４では、移動体通信端末１１および１２をそれぞれＵＥ１１および１２と表記し、ジャケット２１および２２をそれぞれＪＡ２１および２２と表記している。また、移動体通信端末１１〜１３の中で移動体通信端末１１が初めにジャケット２１と装着され、その後、移動体通信端末１２がジャケット２２と装着されたものとしている。
【００７９】
先ず、移動体通信端末１１がジャケット２１と装着されると、移動体通信端末１１は、コミュニティをサーバ３１に作成する。その後、移動体通信端末１２がジャケット２２と装着されると、移動体通信端末１２は参加要求をサーバ３１に送信する。サーバ３１は、参加要求を受信すると、移動体通信端末１２を認証する旨の認証要求を移動体通信端末１１に送信する（ステップＳ１）。
【００８０】
また、ジャケット２１および２２は、移動体通信端末１１および１２と装着されると、近接ジャケットから近接情報を取得し、その近接情報を保存する（ステップＳ２）。
【００８１】
また、移動体通信端末１１が認証要求を受信した場合、ジャケット２１は、移動体通信端末１２の認証を行い、認証が成功した場合、移動体通信端末１２のアカウントを設定する（ステップＳ３）。
【００８２】
以下、各ステップＳ１〜Ｓ３で行われる処理をより詳細に説明する。
【００８３】
初めにステップＳ１で行われる処理について、図４を参照しながら説明する。
【００８４】
ステップＳ１では、先ず、移動体通信端末１１がジャケット２１と装着され、移動体通信端末１１の電源部１１１がジャケット２１の電源入力部１２１と接続される。これにより、電源部１１１は、電源入力部１２１に対する電力の供給を開始し、電源入力部１２１は、その供給された電力をジャケット２１の各部に供給する。アカウント送出判定部１２７は、電力が供給されると、アカウント保存部１２２から仮アカウント情報および通信先情報を取得し、その仮アカウント情報および通信先情報を自ジャケット情報として、送信部１２８を介して移動体通信端末１１のジャケット情報受信部１１５に送信する（ステップＳ１１）。
【００８５】
ジャケット情報受信部１１５は、自ジャケット情報を受信すると、その自ジャケット情報をアカウント設定部１１６に送信する。アカウント設定部１１６は、自ジャケット情報を受信すると、その自ジャケット情報に含まれる通信先情報を用いて、サーバ通信部１１７および無線部１１３を介してサーバ３１と接続し、コミュニティがサーバ３１に作成されているか否かを確認する。ここでは、コミュニティは作成されていないので、アカウント設定部１１６は、作成要求を生成し、その作成要求と、自ジャケット情報に含まれる仮アカウント情報とを、サーバ通信部１１７および無線部１１３を介してサーバ３１に送信する（ステップＳ１２）。このとき、アカウント設定部１１６は、仮アカウント情報を、移動体通信端末１１を特定する自アカウント情報として送信する。
【００８６】
サーバ３１は、作成要求および自アカウント情報を受信すると、コミュニティを作成するとともに、自アカウント情報を登録する。そして、サーバ３１は、コミュニティの作成が終了した旨の作成完了通知を移動体通信端末１１の無線部１１３に送信する。無線部１１３は、作成完了通知を受信すると、その作成完了通知を、サーバ通信部１１７を介してアカウント設定部１１６に送信する（ステップＳ１３）。
【００８７】
アカウント設定部１１６は、作成完了通知を受信すると、自ジャケット情報をサーバ通信部１１７に設定する（ステップＳ１４）。
【００８８】
その後、移動体通信端末１２がジャケット２２と装着されると、移動体通信端末１２およびジャケット２２にてステップＳ１１と同様な処理が行われ、ジャケット２２から自ジャケット情報が移動体通信端末１２のジャケット情報受信部１１５に送信される（ステップＳ１５）。
【００８９】
移動体通信端末１２のジャケット情報受信部１１５は、自ジャケット情報を受信すると、その自ジャケット情報をアカウント設定部１１６に送信する。アカウント設定部１１６は、自ジャケット情報を受信すると、その自ジャケット情報に含まれる通信先情報を用いて、サーバ通信部１１７および無線部１１３を介してサーバ３１と接続し、コミュニティがサーバ３１に作成されているか否かを確認する。ここでは、コミュニティは作成されているので、アカウント設定部１１６は、参加要求を生成し、その参加要求と、自ジャケット情報に含まれる仮アカウント情報とを、サーバ通信部１１７および無線部１１３を介してサーバ３１に送信する（ステップＳ１６）。このとき、アカウント設定部１１６は、仮アカウント情報を、移動体通信端末１２の自アカウント情報として送信する。
【００９０】
サーバ３１は、参加要求と自アカウント情報を受信すると、その自アカウント情報を認証対象アカウント情報として含む認証要求を生成し、その認証要求を、コミュニティを作成した移動体通信端末１１に送信する（ステップＳ１７）。
【００９１】
次にステップＳ２の処理をより詳細に説明する。図５は、ステップＳ２の処理の一例を説明するためのフローチャートである。なお、ステップＳ２は、移動体通信端末１１および１２のそれぞれで実行されるが、以下では、移動体通信端末１１を例にとって説明する。また、図４では、図５の各ステップを簡略化して記載している。
【００９２】
移動体通信端末１１の電源部１１１がジャケット２１の電源入力部１２１と接続され、電源入力部１２１から電力が供給されると、近接通信部１２４は、近接ジャケットを検索し（ステップＳ２１）、近接ジャケットが存在するか否かを判断する（ステップＳ２２）。
【００９３】
近接ジャケットが存在しない場合、近接通信部１２４は、一定期間待機し（ステップＳ２３）、その後、ステップＳ２１の処理に戻る。
【００９４】
一方、近接ジャケットが存在する場合、近接通信部１２４は、近接ジャケットから近接情報を取得する（ステップＳ２４）。そして、近接通信部１２４は、その近接情報を近接状態判定部１２６に送信する。近接状態判定部１２６は、近接情報を受信すると、その近接情報を保存部１２５に保存する（ステップＳ２５）。
【００９５】
近接通信部１２４は、ステップＳ２５にて近接情報を送信すると、一定期間待機し（ステップＳ２６）、ステップＳ２１の処理に戻る。
【００９６】
次にステップＳ３の処理をより詳細に説明する。図６は、ステップＳ３の処理の一例を説明するためのフローチャートである。なお、図４では、図６の各ステップを簡略化して記載している。
【００９７】
移動体通信端末１１の無線部１１３は、定期的に無線通信の通信品質を測定し、その通信品質を示す無線情報を生成して出力する（ステップＳ３１）。位置測定部１１２は、定期的に現在位置を測定し、その現在位置を示す位置情報を生成して出力する（ステップＳ３２）。
【００９８】
本体情報送信部１１４は、無線情報および位置情報を受信し、その無線情報および位置情報を本体情報としてジャケット２１送信する。本体情報取得部１２３は、本体情報を受信すると、その本体情報を近接状態判定部１２６に送信する。近接状態判定部１２６は、本体情報を受信すると、その本体情報を保存部１２５に保存する（ステップＳ３３）。
【００９９】
なお、ステップＳ３１およびＳ３２の処理は、移動体通信端末１１がジャケット２１と装着される前から定期的に行われており、ステップＳ３３の処理は、移動体通信端末１１がジャケット２１と装着された時点から定期的に行われるが、ここでは、説明の便宜上、ステップＳ３に組み込んでいる。また、ステップＳ３１〜Ｓ３３は、移動体通信端末１２でも行われている。
【０１００】
移動体通信端末１１の無線部１１３は、図４のステップ１７においてサーバ３１から出力された認証要求を受信すると、その認証要求を本体情報送信部１１４に出力する。本体情報送信部１１４は、認証要求を受け付けると、その認証要求をジャケット２１の本体情報取得部１２３に送信する（ステップＳ３４）。
【０１０１】
本体情報取得部１２３は、認証要求を受信すると、その認証要求を近接状態判定部１２６に送信する。近接状態判定部１２６は、認証要求を受信すると、その認証要求内の認証対象アカウント情報と同じ他アカウント情報を有する近接情報である対象近接情報と、本体情報とを保存部１２５から取得する。そして、近接状態判定部１２６は、本体情報と対象近接情報内の他情報とに基づいて、装着装置（移動体通信端末１１）と、対象近接情報に含まれる他アカウント情報にて特定される他装置（移動体通信端末１２）との位置関係を評価する（ステップＳ３５）。
【０１０２】
そして、近接状態判定部１２６は、位置関係の評価結果に基づいて、他アカウント情報にて特定される他端末の認証を行う（ステップＳ３６）。
【０１０３】
認証が失敗した場合、処理が終了される。一方、認証が成功した場合、近接状態判定部１２６は、他アカウント情報をアカウント送出判定部１２７に送信する。アカウント送出判定部１２７は、他アカウント情報を受信すると、アカウント保存部１２２から通信先情報を取得するとともに、許可情報を生成する。そして、アカウント送出判定部１２７は、他アカウント情報、許可情報および通信先情報を含む近接ジャケット情報を、送信部１２８を介して移動体通信端末１１のジャケット情報受信部１１５に送信する。ジャケット情報受信部１１５は、近接ジャケット情報を受信すると、近接ジャケット情報をアカウント設定部１１６に送信する。アカウント設定部１１６は、近接ジャケット情報を受信すると、近接ジャケット情報に含まれる通信先情報を用いて、近接ジャケット情報に含まれる他アカウント情報および許可情報を、サーバ通信部１１７および無線部１１３を介してサーバ３１に送信する（ステップＳ３７）。
【０１０４】
サーバ３１は、他アカウント情報および許可情報を受信すると、他アカウント情報を登録し、許可通知を、他アカウント情報にて特定される移動体通信端末１２に送信する。移動体通信端末１２の無線部１１３は、許可通知を受信すると、その許可通知をサーバ通信部１１７を介してアカウント設定部１１６に送信する。アカウント設定部１１６は、許可通知を受信すると、図４のステップＳ１６で受信した自ジャケット情報をサーバ通信部１１７に設定する（ステップＳ３８）。
【０１０５】
なお、以上説明した動作では、移動体通信端末およびジャケットが二つずつある場合について説明したが、移動体通信端末およびジャケットは、それぞれ３つ以上あってもよい。この場合、例えば、ステップ２では、近接通信部１２４は、通信可能なジャケットを全て近接ジャケットとして検索し、複数の近接ジャケットが存在する場合には、その複数の近接ジャケットのそれぞれから近接ジャケットを取得して近接状態判定部１２６に送信する。近接状態判定部１２６は、それらの近接情報を受信すると、それらの近接情報を保存部１２５に保存する。
【０１０６】
以上説明したように本実施形態によれば、ジャケット２１と装着された装着装置の位置に応じた本体情報と、他のジャケットから取得した他装置の位置に応じた他情報とに基づいて、他装置の認証が行われ、その認証が成功した場合、近接ジャケットに対するアカウントが設定される。
【０１０７】
このため、一時的に集合し、コミュイティへの参加を希望するユーザは、自身の移動体通信端末にジャケットを装着するだけで、コミュニティに参加することが可能になる。また、参加を希望しないユーザはジャケットを装着しなければよいので、参加を希望しないユーザの移動体通信端末にアカウントが設定されることを抑制することが可能になる。したがって、一時的に集合したユーザに対して、コミュニティに参加するアカウントを適切にかつ容易に設定することが可能になる。
【０１０８】
また、本実施形態では、本体情報と他情報とに基づいて、装着装置と他装置との位置関係が評価され、その評価結果に基づいて、他装置の認証が行われる。このため、一時的に集合したユーザに対してアカウントをより適切に設定することが可能になる。
【０１０９】
また、本実施形態では、位置関係として、装着装置および他装置が互いに近接しているか否かが評価されるので、一時的に集合したユーザに対してアカウントをより適切に設定することが可能になる。
【０１１０】
また、本実施形態では、位置関係として、装着装置および他装置が所定時間以上互いに近接しているか否かが評価されるので、一時的に集合したユーザに対してアカウントをより適切に設定することが可能になる。
【０１１１】
また、本実施形態では、ジャケットを特定する仮アカウント情報が、そのジャケットと装着された装着装置を特定する自アカウント情報として使用されるので、アカウント情報としてユーザの個人情報が流出されることを防止することが可能になる。
【０１１２】
次に本発明の他の実施形態について説明する。
【０１１３】
図２に示した保存部１２５は、揮発性のメモリで構成されてもよい。この場合、ジャケットが移動体通信端末から取り外された場合、保存部１２５には電力が供給されなくなるので、保存部１２５から本体情報や近接情報が削除される。これにより、例えば、一時的な集会で配布されたジャケットを使用し、集会が散会したときにジャケットを返却するだけで、ジャケット内の情報が削除されるので、ジャケット内の情報を削除する手間をなくすことが可能になる。
【０１１４】
また、他装置の認証が成功し、他端末に対するアカウントが設定された後でも、近接状態判定部１２６は、本体情報取得部１２３が定期的に受信する本体情報と、近接通信部１２４が定期的に取得する近接情報内の他情報とに基づいて、他装置の認証を定期的に行ってもよい。この場合、他端末に対するアカウントが設定された後に他装置の認証に失敗すると、アカウント送出判定部１２７は、他アカウント情報と、その他アカウント情報にて特定される他端末に対するアカウントを削除する旨の削除要求とを、送信部１２８および移動体通信端末１１を介してサーバ３１に送信することで、他端末に対するアカウントを削除する。これにより、集合した場所から立ち去ったり、集合が散会したりした場合にアカウントが削除されるので、アカウントを削除する手間をなくすことが可能になる。
【０１１５】
また、情報処理システムは、以下の構成でもよい。
【０１１６】
図７は、情報処理システムの別の構成を示す図である。図７において、移動体通信システムは、互いに着脱可能な情報処理装置５０および付属装置６０を有する。
【０１１７】
図８は、情報処理装置５０の構成を示すブロック図である。図８において情報処理装置５０は、生成部５１と、本体情報送信部５２とを含む。
【０１１８】
生成部５１は、情報処理装置５０の位置に応じた本体情報を生成する。
【０１１９】
本体情報送信部５２は、生成部５１が生成した本体情報を、情報処理装置５０と装着された付属装置６０に送信する。
【０１２０】
図９は、付属装置６０の構成を示すブロック図である。図９において、付属装置６０は、受信部６１と、通信部６２と、認証部６３と、設定部６４とを有する。
【０１２１】
受信部６１は、付属装置６０と装着された情報処理装置５０である装着装置から本体情報を受信する。
【０１２２】
通信部６２は、装着装置とは別の情報処理装置である他装置と装着された他付属装置から、他装置を特定する他アカウント情報と、その他装置の位置に応じた他情報を取得する。
【０１２３】
認証部６３は、受信部６１が受信した本体情報と、通信部６２が受信した他情報とに基づいて、他装置の認証を行う。
【０１２４】
設定部６４は、認証部６３にて他装置の認証が成功した場合、コミュニティを管理するサーバに他アカウント情報を送信することによって、他装置に対してコミュニティに参加するアカウントを設定する。
【０１２５】
上記の構成でも、一時的に集合し、コミュイティへの参加を希望するユーザは、自身の移動体通信端末にジャケットを装着するだけで、コミュニティに参加することが可能になる。また、参加を希望しないユーザはジャケットを装着しなければよいので、参加を希望しないユーザの移動体通信端末にアカウントが設定されることを抑制することが可能になる。一時的に集合したユーザに対して、コミュニティに参加するアカウントを適切にかつ容易に設定することが可能になる。
【０１２６】
以上説明した各実施形態において、図示した構成は単なる一例であって、本発明はその構成に限定されるものではない。
【０１２７】
例えば、本体情報は、無線情報および位置情報の一方でもよい。また、通信先情報は、ユーザが入力してもよい。また、サーバ３１は、認証要求を、登録されている自アカウント情報にて特定される移動体通信端末に送信することで、コミュニティを作成した移動体通信端末以外の、コミュニティに参加するアカウントを有する移動体通信端末に送信してもよい。
【０１２８】
また、移動体通信端末１１〜１３、ジャケット２１〜２３、サーバ３１、情報処理装置５０および付属装置６０の機能は、その機能を実現するためのプログラムを、コンピュータにて読み取り可能な記録媒体に記録して、この記録媒体に記録されたプログラムをコンピュータに読み込ませ実行させることで、実現されてもよい。
【符号の説明】
【０１２９】
１１〜１３    移動体通信端末
２１〜２３    ジャケット
３１          サーバ
５０        情報処理装置
５１        生成部
５２        本体情報送信部
６０        付属装置
６１        受信部
６２        通信部
６３        認証部
６４        設定部
１１１        電源部
１１２        位置測定部
１１３        無線部
１１４        本体情報送信部
１１５        ジャケット情報受信部
１１６        アカウント設定部
１１７        サーバ通信部
１２１        電源入力部
１２２        アカウント保存部
１２３        本体情報取得部
１２４        近接通信部
１２５        保存部
１２６        近接状態判定部
１２７        カウント送出判定部
１２８        送信部
【図１】
2014026377.tif 000003
【図２】
2014026377.tif 000004
【図３】
2014026377.tif 000005
【図４】
2014026377.tif 000006
【図５】
2014026377.tif 000007
【図６】
2014026377.tif 000008
【図７】
2014026377.tif 000009
【図８】
2014026377.tif 000010
【図９】
2014026377.tif 000011